(57)【要約】【課題】コンパクトに製作ができ、操作性に優れた引戸用指挟み防止具を提供することが本発明の課題である。【解決手段】ストッパー５は、ケース１に軸４で回動可能に取り付けられ、その裏面を押出具６に押されてケース１から突出できるようになっており、ケース１は、表ケース２と裏ケース３とから成り、ねじ１６・１７で一体化される。そしてストッパー５表面の同じ箇所を押圧することによってストッパー５をケース１表面から突出した状態と収納された状態に変更することができる【選択図】図２
2011038251.tif 000002
【特許請求の範囲】
【請求項１】
引手によって開閉する引戸に取り付けられる引戸用指挟み防止具において、ストッパーをケースに回動可能に取り付けて、ケース表面から突出した状態と収納された状態に変更可能になるように構成し、ケースには、ストッパーの回動中心と先端部の中間部を裏面から突出方向に押し出すことができる押出具を設けて成り、押出具は、押圧する毎に前進・後退を繰り返す構造と成し、ストッパー表面を押圧することによって押出具を押圧して、ストッパーをケース表面から突出した状態と収納された状態に変更できるように構成したことを特徴とする引戸用指挟み防止具。
【発明の詳細な説明】
【技術分野】
【０００１】
本発明は、引手によって開閉する引戸に取り付けられ、引手で引戸を開く際に手指が、隣り合って重なる壁又は引戸との間に挟まれるのを防止することができる引戸用指挟み防止具に関するものである。
【背景技術】
【０００２】
従来より、引戸用指挟み防止具として特許４２４６１３７号発明のように、プロテクタ３０（本発明ではストッパーに相当）が引手に単に回動可能に取り付けられているものは提案されている。この従来例においては、使用状態にするには、プロテクタ本体３０Ｂの枢支部４２より下部（突出する側と反対側の部分）にある指当て３０ｆ１に指を当てながら押し込んで揺動して水平状態にし、収納状態にするには、プロテクタ本体３０Ｂの下面を押し上げて垂直状態にするものである。
【先行技術文献】
【特許文献】
【０００３】
【特許文献１】特許４２４６１３７号公報
【発明の概要】
【発明が解決しようとする課題】
【０００４】
上記従来例においては、プロテクタ本体３０Ｂの枢支部４２より下部（突出する側と反対側の部分）に指当てを設けなければならず、縦方向の寸法が大きくなってしまうという問題や、使用状態にする操作と収納状態にする操作が相違し、操作性が悪いという問題を有するものである。本発明は、コンパクトに製作ができ、操作性に優れた引戸用指挟み防止具を提供することを課題とするものである。
【課題を解決するための手段】
【０００５】
本発明は、上記の課題を解決するために、引手によって開閉する引戸に取り付けられる引戸用指挟み防止具において、ストッパーをケースに回動可能に取り付けて、ケース表面から突出した状態と収納された状態に変更可能になるように構成し、ケースには、ストッパーの回動中心と先端部の中間部を裏面から突出方向に押し出すことができる押出具を設けて成り、押出具は、押圧する毎に前進・後退を繰り返す構造と成し、ストッパー表面を押圧することによって押出具を押圧して、ストッパーをケース表面から突出した状態と収納された状態に変更できるように構成したことを特徴とする引戸用指挟み防止具である。
【発明の効果】
【０００６】
本発明は、ストッパー表面の同じ箇所を押圧することによってストッパーをケース表面から突出した状態と収納された状態に変更できるので、ストッパーの突出する側と枢支部の反対側の部分を大きくする必要がなく、寸法を小さくコンパクトにすることができると共に、操作性に優れているという効果がある。
【０００７】
また、前進・後退を繰り返す構造を有する押出具に大きな強度を持たせると大型化してしまうが、押出具とは別体で単に回動するだけのストッパーが、隣り合って重なる壁又は引戸に衝突してその衝撃を受ける構造になっているので、全体をコンパクトで安価に製作することが可能になるという効果もある。
【０００８】
さらに、押出具が、ストッパーの回動中心と先端部の中間部を裏面から突出方向に押し出すので、押出具の突出量が小さくても、回動して突出するストッパーの先端部の突出量を十分に大きくすることができ、全体の厚さを薄くすることができる。従って、厚さの薄い引戸に取り付けることができるし、引戸と隣り合って重なる壁又は引戸との隙間が大きくても、ストッパーが重なる壁又は引戸に当接して指挟みを防止することができるという効果もある。
【図面の簡単な説明】
【０００９】
【図１】引戸に、本発明を縦状態に取り付けた状態の正面図。
【図２】本発明の縦状態の斜視図。
【図３】図２のＡ−Ａ線拡大断面図。
【図４】ストッパーを押圧した状態の図３に相当する拡大断面図。
【図５】図４の状態からストッパーを放した状態の図３に相当する拡大断面図。
【図６】本発明の分解斜視図。
【図７】裏ケースの一部を切り欠いた状態の断面斜視図。
【図８】裏ケースの軸筒に摺動子を装着した状態の、図７と同様な断面斜視図。
【図９】図８のＢ−Ｂ線拡大断面図。
【図１０】摺動子に回転子を装着した状態の、図７と同様な断面斜視図。
【図１１】図１０のＣ−Ｃ線拡大断面図。
【図１２】図１０の状態から摺動子が回転子と一緒に押圧された状態（図４の状態）の、図７と同様な断面斜視図。
【図１３】図１２のＤ−Ｄ線拡大断面図。
【図１４】図１２の状態から摺動子と回転子が一緒に突出ばね（図示せず）に付勢されて少し戻された状態（図５の状態）の、図７と同様な断面斜視図。
【図１５】図１４のＥ−Ｅ線拡大断面図。
【図１６】引戸に、本発明を横状態に取り付けた状態の正面図。
【図１７】本発明の横状態の斜視図。
【実施例１】
【００１０】
ストッパー５は、ケース１に軸４で回動可能に取り付けられ、その裏面を押出具６に押されてケース１から突出できるようになっており、ケース１は、表ケース２と裏ケース３とから成り、ねじ１６・１７で一体化される。
【００１１】
表ケース２は、縦長方形状の表面板２２の中央に縦長方形状の開口部２３を設け、その裏面周縁に沿って立上部２４を立設してある。立上部２４には、上部側板に相対向するするように円形貫通孔の軸受孔２５・２５を設け、下部側板に同じく相対向するように裏面側に開放している略矩形状の凹部２６・２６を設けてある。
【００１２】
ストッパー５は、側面視略三角形状に突出するものであり、頂部近傍に左右方向に貫通する円形の軸孔２７を設け、下部両側に外方に突出する突起２８・２８を設け、さらに上部に裏面側に突出する突部３７を設けてある。また、この突部３７の裏面上部に円形の深い孔２９を設け、この孔２９に、ばね１９を介してクリックボール１８を収納するようになっている。
【００１３】
裏ケース３は、表面側に開口する箱状で、その底面略中央に表面側に突出する略円筒状の軸筒２１を設け、その上方は凹円弧状になっておりその凹円弧状面上下にクリック溝３２・３３を設けてある。軸筒２１内周面には、表裏方向に伸びる直線状で裏面側に開口している３条の浅い摺動溝３０・・３０と、同じく表裏方向に伸びる直線状で裏面側に開口している３条の深い直線カム溝３１・・３１を交互に設けてある。さらに直線カム溝３１・・３１は、裏面側に開口し摺動溝３０・・３０の裏面側端縁に位置する三角形カム溝３８・・３８に続いている。
【００１４】
押出具６は、摺動子７、回転子８、ばね受９及び突出ばね１０から成り、これらを組み立て裏ケース３の軸筒２１に挿入し蓋板１１を被せ、ねじ２０で蓋板１１を裏ケース３に固定して装着する。
【００１５】
摺動子７は、有底円筒状で裏面側が開口し、開口縁が鋸歯状にぎざぎざになっており、その開口縁に沿った外周に、外方に突出する３個の摺動突起３４・・３４を等間隔に配設してある。回転子８は、略円筒状で摺動子７の中に、摺動及び回転可能に挿入されるものであり、裏面側の開口縁に沿った外周に、摺動突起３４・・３４よりも大きく外方に突出する３個のカム突起３５・・３５を等間隔に配設してある。カム突起３５・・３５は、裏ケース３の三角形カム溝３８・・３８に係合するよう同様な三角形状になっている。ばね受９は、中間に鍔部３６を設けた円筒状で、鍔部３６を裏面側から突出ばね１０が押圧するようになっており、回転子８の裏面側から挿入され、回転子８がこのばね受９に対して回転できるようになっている。
【００１６】
組立方について説明する。
ストッパー５を表ケース２の立上部２４に裏面側から装入し、突起２８・２８が凹部２６・２６に摺動可能に係合すると共に、軸孔２７が軸受孔２５・２５と対応するように成し、軸４を一方の軸受孔２５、軸孔２７及び他方の軸受孔２５に挿通してその端部をＥリング１５で止める。これによりストッパー５は、表ケース２に回動可能に取り付けられ、突出方向への回動は突起２８・２８が凹部２６・２６の端部に当接して制限され、没入方向への回動は突部３７が表ケース２の上部開口縁部に当接して制限されている。
【００１７】
次に、摺動子７を裏ケース３の軸筒２１に裏面から、摺動突起３４・・３４が摺動溝３０・・３０に係合するように挿入し、回転子８を軸筒２１に裏面から、カム突起３５・・３５が直線カム溝３１・・３１に係合するように摺動子７の中に挿入し、ばね受９を回転子８の中に挿入し、突出ばね１０をばね受９の鍔部３６に当接させ、蓋板１１を被せてねじ２０で裏ケース３に固定して、押出具６を裏ケース３に取り付ける。
【００１８】
なお、摺動子７は、軸筒２１に裏面から、摺動突起３４・・３４が直線カム溝３１・・３１に係合するように挿入してもよい。この場合、摺動溝３０・・３０は必要がないが、摺動溝３０・・３０を設けるのは、摺動突起３４・・３４が、摺動溝３０・・３０に係合しても直線カム溝３１・・３１に係合してもよいようにして、摺動子７を軸筒２１に挿入しやすく組立を容易にするためである。
【００１９】
そして、ストッパー５の孔２９にばね１９及びクリックボール１８を挿入し、ストッパー５を取り付けた表ケース２に、押出具６を取り付けた裏ケース３を、裏面から重ね合わせ、ねじ１６・１７で両者を固定すると本実施例の引戸用指挟み防止具の組立は完了する。組み立てられた状態では、押出具６先端部は、ストッパー５の回動中心と先端部の中間部を裏面から突出方向に押し出すことになる。
【００２０】
この組み立てられた引戸用指挟み防止具を、図１及び図２に示すように縦状態にして、引戸Ｔの一方面、すなわち隣り合って重なる壁Ｋに対面する側の面に配設し、他方面に裏板１２を配設して取付ねじ１３・１４で引戸Ｔに取り付ける。
【００２１】
動作について説明する。
クリックボール１８がばね１９の力でクリック溝３３に係合している状態（図３参照）は、ストッパー５がケース１から突出していて、引戸Ｔを開くと、ストッパー５の突出した側面３９が隣り合う壁Ｋの側面に当接し、引戸Ｔは完全に開くことがなく隣り合う壁Ｋに重ならないので引手Ｈにかけた手指を挟むことがない。この状態が通常の使用状態である。
【００２２】
またこの状態は、突出ばね１０がばね受９を介して回転子８及び摺動子７を表面方向へ付勢しており、摺動子７の摺動突起３４・・３４が軸筒２１の摺動溝３０・・３０に係合してその底面に当接すると共に、回転子８のカム突起３５・・３５が軸筒２１の直線カム溝３１・・３１に係合して摺動子７の鋸歯状の開口縁に当接し、摺動子７が突出している状態（図１０参照）である。
【００２３】
そしてこの状態からストッパー５の表面を押圧すると、その裏面が摺動子７を押圧して、摺動子７は、摺動突起３４・・３４が摺動溝３０・・３０に沿って突出ばね１０の力に抗して後退すると共に、回転子８は、カム突起３５・・３５が直線カム溝３１・・３１に沿って突出ばね１０の力に抗して後退し、回転子８は、カム突起３５・・３５が直線カム溝３１・・３１から外れる（図１２参照）。この状態では、ストッパー５はケース１の表面より埋没し、クリックボール１８はクリック溝３２にもクリック溝３３にも係合していない（図４参照）。
【００２４】
ここで押圧を解除すると突出ばね１０の力によって前進させる力が働いているので、回転子８は、そのカム突起３５・・３５が摺動子７の鋸歯状になっている開口縁の斜面に沿って回転し、続いて裏ケース３の三角形カム溝３８の傾斜面に沿って回転しながら前進すると共に、摺動子７も前進させ、回転子８は、カム突起３５・・３５が三角形カム溝３８・・３８に係合して、摺動子７と共に引っ込んだ状態（図１４参照）となり、またクリックボール１８がばね１９の力でクリック溝３２に係合し、ストッパー５はケース１表面とほぼ同一面に収納された状態（図５参照）になる。この状態では、引戸Ｔは完全に開くことができ、隣り合う壁Ｋに完全に重なるようになるが、大きな荷物を運ぶ時等、開口を広くしたい時に便利である。
【００２５】
なお、図１６は、引戸用指挟み防止具を横状態（図１７参照）にして引戸Ｔに取り付けたものであり、この場合はストッパー５の突出した側面３９ではなく底面４０が引戸Ｔ先端側面に当接する。
【００２６】
また、本発明の引戸用指挟み防止具は、本実施例のように単独で設ける他に、引手と一体に設けたり、主にトイレに使用されるライトスコープと一体に設けたりすることもできる。
【符号の説明】
【００２７】
１  ケース
２  ストッパー
３  押出具
Ｔ  引戸
Ｈ  引手
【図１】
2011038251.tif 000003
【図２】
2011038251.tif 000004
【図３】
2011038251.tif 000005
【図４】
2011038251.tif 000006
【図５】
2011038251.tif 000007
【図６】
2011038251.tif 000008
【図７】
2011038251.tif 000009
【図８】
2011038251.tif 000010
【図９】
2011038251.tif 000011
【図１０】
2011038251.tif 000012
【図１１】
2011038251.tif 000013
【図１２】
2011038251.tif 000014
【図１３】
2011038251.tif 000015
【図１４】
2011038251.tif 000016
【図１５】
2011038251.tif 000017
【図１６】
2011038251.tif 000018
【図１７】
2011038251.tif 000019
【手続補正書】
【提出日】平成21年8月18日(2009.8.18)
【手続補正１】
【補正対象書類名】明細書
【補正対象項目名】０００９
【補正方法】変更
【補正の内容】
【０００９】
【図１】引戸に、本発明を縦状態に取り付けた状態の正面図。
【図２】本発明の縦状態の斜視図（ケースと裏板が組み立てられていない状態）。
【図３】図２のＡ−Ａ線拡大断面図（ケースと裏板が組み立てられた状態）。
【図４】ストッパーを押圧した状態の図３に相当する拡大断面図。
【図５】図４の状態からストッパーを放した状態の図３に相当する拡大断面図。
【図６】本発明の分解斜視図。
【図７】裏ケースの一部を切り欠いた状態の断面斜視図。
【図８】裏ケースの軸筒に摺動子を装着した状態の、図７と同様な断面斜視図。
【図９】図８のＢ−Ｂ線拡大断面図。
【図１０】摺動子に回転子を装着した状態の、図７と同様な断面斜視図。
【図１１】図１０のＣ−Ｃ線拡大断面図。
【図１２】図１０の状態から摺動子が回転子と一緒に押圧された状態（図４の状態）の、図７と同様な断面斜視図。
【図１３】図１２のＤ−Ｄ線拡大断面図。
【図１４】図１２の状態から摺動子と回転子が一緒に突出ばね（図示せず）に付勢されて少し戻された状態（図５の状態）の、図７と同様な断面斜視図。
【図１５】図１４のＥ−Ｅ線拡大断面図。
【図１６】引戸に、本発明を横状態に取り付けた状態の正面図。
【図１７】本発明の横状態の斜視図（ケースと裏板が組み立てられていない状態）。
【手続補正２】
【補正対象書類名】明細書
【補正対象項目名】００２７
【補正方法】変更
【補正の内容】
【００２７】
１  ケース
５  ストッパー
６  押出具
Ｔ  引戸
Ｈ  引手